(57)【特許請求の範囲】
【請求項１】
一対の基板をシール材によって互いに接着する液晶表示装置の製造方法において、前記一対の基板のうち一方の基板に当該一対の基板を接着した後の前記シール材の幅を確認する互いに離間するよう対向して配置されたシール幅確認マークを形成する工程と、前記離間したシール幅確認マークの間に前記シール材を塗布する工程と、前記一方の基板と前記一対の基板のうちの他方の基板とを接着する工程と、前記シール幅確認マークの離間長が示す幅と接着した後の前記シール材の幅とが同一であることを確認する工程とを有することを特徴とする液晶表示装置の製造方法。
【請求項２】
一対の基板をシール材によって互いに接着する液晶表示装置の製造方法において、前記一対の基板のうち一方の基板に塗布したシール材の幅を確認するシール幅確認マークを形成する工程と、前記一方の基板に形成された前記シール幅確認マークの上に前記シール材を塗布する工程と、前記シール幅確認マークが示す幅と塗布した前記シール材の幅とが同一であることを確認する工程と、前記一方の基板と前記一対の基板のうちの他方の基板とを接着する工程とを有することを特徴とする液晶表示装置の製造方法。
【請求項３】
請求項２において、
さらに前記一対の基板を接着した後の前記シール幅をシール幅確認マークが示す幅と接着した後の前記シール材の幅により確認する工程とを有することを特徴とする液晶表示装置の製造方法。
【請求項４】
一対の基板をシール材によって互いに接着されてなる液晶表示装置において、前記一対の基板のうち少なくとも一方の基板は、前記一対の基板を接着した後のシール幅を確認する互いに離間するよう対向して配置されたシール幅確認マークと、前記離間したシール幅確認マークの間に塗布されたシール材とを有し、前記シール幅確認マークは、接着された後の前記シール材の幅が前記シール幅確認マークの離間長が示す幅と同一であることを確認するものであることを特徴とする液晶表示装置。
【請求項５】
一対の基板をシール材によって互いに接着されてなる液晶表示装置において、前記一対の基板のうち少なくとも一方の基板は、前記シール材の下層に形成されたシール材を塗布した後のシール幅を確認するシール幅確認マークと前記シール幅確認マークの上層に塗布されたシール材とを有し、前記シール幅確認マークは、塗布された接着する前の前記シール材の幅が前記シール幅確認マークの幅と同一であることを確認するものであることを特徴とする液晶表示装置。
【請求項６】
請求項５において、
前記一対の基板のうち少なくとも一方の基板は、一対の基板を接着した後のシール幅を前記シール幅確認マークが示す幅と接着した後の前記シール材の幅により確認するシール幅確認マークを有することを特徴とする液晶表示装置。
【発明の詳細な説明】
【０００１】
【発明の属する技術分野】
本発明は、液晶表示装置の製造方法および液晶表示装置に関し、詳しくは、１対のガラス基板を互いに接着するためのシール剤のシール幅を確認することが可能な確認マークを形成して液晶表示装置を製造する液晶表示装置の製造方法、およびその確認マークが形成されている液晶表示装置に関するものである。
【０００２】
【従来の技術】
例えば、シール剤の位置決め用マークを形成する液晶表示装置の製造方法として、特開平６−１８６５１５号公報に記載された方法が従来から知られている。この液晶表示装置の製造方法では、シール剤を印刷する工程の前に、ガラス基板におけるシール剤を印刷すべきシール位置の少なくとも一部に位置決めマークを形成し、次いで、その位置決めマークを基準としてシール剤印刷用マスクの位置合わせを行った後に、シール剤を印刷している。この場合、シール剤印刷工程では、一般的に、位置合わせしたシール剤印刷用マスク上にシール剤を盛った後に、ヘら状のスキージーを用いてシール剤を所定圧力で擦り付けることにより、シール剤を所定厚でガラス基板に印刷する。次いで、シール剤を印刷したガラス基板と他のガラス基板とを互いに密着させ、その状態で紫外線を照射してシール剤を硬化させることにより両ガラス基板を互いに接着する。この後、液晶充填口を介して両基板間における空間部の空気を抜いて真空状態にし、この状態を維持しつつ空間部に液晶を充填する。次いで、両ガラス基板を所定の大きさに切断することにより、液晶表示装置が完成する。
【０００３】
【発明が解決しようとする課題】
ところが、この従来の液晶表示装置の製造方法には、以下の問題点がある。
【０００４】
すなわち、従来の液晶表示装置の製造方法において用いられている位置決めマークは、シール剤を印刷すべきシール幅の一方の端部を位置決めする基準として機能するだけであって、シール剤を均一のシール幅に印刷するために機能するものではない。つまり、シール剤印刷後における実際のシール幅は、シール剤の粘度やスキージーの圧力などによって左右される。したがって、たとえ、位置決めマークが形成されていたとしても、シール剤の粘度が高い場合やスキージーの圧力が低い場合には、マスクを介してシール剤が適正量よりも少な目にガラス基板に印刷され、シール剤の粘度が低い場合やスキージーの圧力が高い場合には、シール剤が適正量よりも多めにガラス基板に印刷される。さらに、両ガラス基板を接着した状態におけるシール幅についても、一般的には、印刷時のシール幅よりも２〜３倍程度に拡がるが、この拡がりの程度もシール剤の粘度によって左右される。
【０００５】
この場合、シール剤が少な目に印刷されると、シール切れが生じることがある。かかる状態になると、液晶が漏れたり、空気抜きを十分に行うことができないために、所定量の液晶を充填することができないという事態を生じる。また、シール剤が少な目の状態では、ガラス基板の空間部と外気との遮蔽性が低下するため、外気中の水分が液晶に侵入することによる表示品質の低下を招いたり、ガラス基板間の接着強度が低下することによるガラス基板の剥がれを招いたりする。一方、シール剤が多めに印刷されることによりガラス基板の切断部位までシール剤が拡がった場合には、ガラス基板を切断しにくくなる結果、切断作業に長時間を要したり、ばりが出て高精度で切断することができなかったりするという事態を生じる。また、例えば、ガラス基板の表示枠として黒色の見切りを設ける場合には、赤外線を照射してもシール剤が硬化しないことがあり、かかる場合には、液晶内にシール剤が漏れ込むことに起因して表示品質の低下を招くことがある。このため、従来の液晶表示装置の製造方法では、たとえ、シール剤の位置決めマークが形成されていたとしても、これで十分ではなく、これに加えて、シール剤の粘度の管理や、スキージー圧力の制御などを十分に行うことによってガラス基板に印刷するシール剤の印刷量を調整しているのが現状である。したがって、従来の液晶表示装置の製造方法には、シール剤の粘度やスキージー圧力の管理が不十分の場合には、適正量のシール剤を印刷することができない結果、液晶表示装置の歩留まりを低下させてしまうという問題点がある。
【０００６】
本発明は、かかる問題点を解決すべくなされたものであり、液晶表示装置の製造過程におけるシール剤の塗布量を適正量に管理することが可能な液晶表示装置の製造方法および液晶表示装置を提供することを主目的とする。
【０００７】
【課題を解決するための手段】
上記目的を達成すべく本発明の液晶表示装置の製造方法は、一対の基板をシール材によって互いに接着する液晶表示装置の製造方法において、前記一対の基板のうち一方の基板に当該一対の基板を接着した後の前記シール材の幅を確認する互いに離間するよう対向して配置されたシール幅確認マークを形成する工程と、前記離間したシール幅確認マークの間に前記シール材を塗布する工程と、前記一方の基板と前記一対の基板のうちの他方の基板とを接着する工程と、前記シール幅確認マークの離間長が示す幅と接着した後の前記シール材の幅とが同一であることを確認する工程とを有することを特徴とする。
【０００８】
塗布後確認マークを用いて、塗布後のシール剤のシール幅を確認することにより、１対のガラス基板の接着前にシール剤の塗布量を確認することは可能である。一方、接着後のシール幅は、シール剤の粘度によって左右される。したがって、塗布後のシール幅が一定であっても、粘度が異なれば接着後のシール幅は当然に相違する。この液晶表示装置の製造方法では、接着後シール幅確認マークを用いることにより、１対のガラス基板を接着した後のシール幅を確認することが可能となる。このため、例えば、その確認結果をシール剤の粘度管理にフィードバックすることができる。
【０００９】
本発明の液晶表示装置の製造方法は、一対の基板をシール材によって互いに接着する液晶表示装置の製造方法において、前記一対の基板のうち一方の基板に塗布したシール材の幅を確認するシール幅確認マークを形成する工程と、前記一方の基板に形成された前記シール幅確認マークの上に前記シール材を塗布する工程と、前記シール幅確認マークが示す幅と塗布した前記シール材の幅とが同一であることを確認する工程と、前記一方の基板と前記一対の基板のうちの他方の基板とを接着する工程とを有することを特徴とする。
【００１０】
この液晶表示装置の製造方法では、シール剤塗布工程を行った直後に、塗布後シール幅確認マークを用いて、塗布されたシール剤のシール幅を確認することにより、シール剤の塗布量を確認することが可能となる。このため、例えば、その確認結果をスキージーの圧力管理にフィードバックすることが可能となる。
【００１１】
この液晶表示装置の製造方法では、さらに前記一対の基板を接着した後の前記シール幅をシール幅確認マークが示す幅と接着した後の前記シール材の幅により確認する工程とを有することを特徴とする。
【００１７】
本発明の液晶表示装置は、一対の基板をシール材によって互いに接着されてなる液晶表示装置において、前記一対の基板のうち少なくとも一方の基板は、前記一対の基板を接着した後のシール幅を確認する互いに離間するよう対向して配置されたシール幅確認マークと、前記離間したシール幅確認マークの間に塗布されたシール材とを有し、前記シール幅確認マークは、接着された後の前記シール材の幅が前記シール幅確認マークの離間長が示す幅と同一であることを確認するものであることを特徴とする。
【００１８】
本発明の液晶表示装置は、一対の基板をシール材によって互いに接着されてなる液晶表示装置において、前記一対の基板のうち少なくとも一方の基板は、前記シール材の下層に形成されたシール材を塗布した後のシール幅を確認するシール幅確認マークと前記シール幅確認マークの上層に塗布されたシール材とを有し、前記シール幅確認マークは、塗布された接着する前の前記シール材の幅が前記シール幅確認マークの幅と同一であることを確認するものであることを特徴とする。
【００１９】
この液晶表示装置では、さらに前記一対の基板のうち少なくとも一方の基板は、一対の基板を接着した後のシール幅をシール幅確認マークが示す幅と接着した後の前記シール材の幅により確認するシール幅確認マークを有することを特徴とする。
【００２５】
【発明の実施の形態】
以下、添付図面を参照して、本発明に係る液晶表示装置の製造方法および液晶表示装置の好適な実施の形態について説明する。
【００２６】
図１に示すように、本実施形態に係る液晶表示装置１は、ＭＩＭ（Metal Insulator Metal ）が形成された透明なガラス基板２と、カラーフィルタが形成されたガラス基板３１（図６（ａ）参照）とをシール剤５を介して互いに接着することによって形成されている。ガラス基板２の四隅には、シール剤５を塗布する際の塗布幅を確認するためのカギ状のマーク（本発明における塗布後シール幅確認マークに相当する）３，３・・と、両ガラス基板２，３１を接着した後のシール剤５のシール幅を確認するための長方形状のマーク（本発明における接着後シール幅確認マークに相当する）４，４・・とが、例えばタンタルなどの遮光性材料を用いてそれぞれ形成されている。なお、同図では、両ガラス基板２，３１の接着後におけるシール剤５のシール幅を破線で示しており、シール剤５は、特に限定されないが、エポキシ系樹脂が用いられる。また、シール剤５は、ガラス基板２の周囲に沿って塗布されているが、同図の左側において塗布されていない部分は、液晶を充填する際の液晶充填口６として機能する。
【００２７】
この液晶表示装置１では、シール剤５の塗布位置に対応する切欠孔が形成されているマスクを介してシール剤５を塗布することにより、シール剤５の粘度やスキージーの圧力の管理が正常時においては、図２に示すように、シール剤５がマーク３と同一直線上に塗布される。この場合、マーク３は、予め規定したシール剤５のシール幅の中心位置にシール幅と同一幅で形成されているため、シール剤５塗布後において、シール剤５のシール幅がマーク３のマーク幅と同一幅で、かつ同一直線上に塗布されているか否かを透視によって容易に確認することができる。また、両基板２，３１を互いに接着した後においては、シール剤５のシール幅がマーク４，４の離間長と同一のシール幅で、かつ両マーク４，４の互いに対向する側の長辺をそれぞれ延長した線分間に塗布されているかを、同じく透視によって容易に確認することができる。
【００２８】
なお、マーク３，４の形状や位置については、図１に示した例に限定されず、種々の形状等に形成することができる。例えば、マーク３，４を破線で形成してもよいし、図３に示すように、マーク３，４に代えて、１／４円弧状のマーク７，８，８をガラス基板２の角部にそれぞれ形成してもよい。なお、マーク７がマーク３に相当し、マーク８がマーク４に相当する。このようにすべてのマーク７，８，８をガラス基板２の角部に形成した場合には、ガラス基板２に形成されたＩＴＯ膜などの電極に接触するおそれがなく、電極を形成するためにガラス基板２の表面積を有効に利用することができる。
【００２９】
さらに、接着後におけるシール剤５のシール幅を確認するためのマークは、シール剤５のシール幅を確認できるのもであればよく、図４（ａ）に示すように、目盛り状のマーク９，９・・で形成することもできる。この場合には、接着後におけるシール剤５のシール幅を検査者の感に頼るのではなく、精度よく実測することができる。また、マーク９に代えて、同図（ｂ）に示すように、短辺を極く短く形成した長方形状のマーク１０，１０・・を用いることもできる。この場合にも、シール幅を精度よく確認することができる。
【００３０】
次に、この液晶表示装置１の製造工程について、図５，６を参照して説明する。
【００３１】
最初に、図５を参照してガラス基板２の製造工程について説明する。まず、同図（ａ）に示すように、ガラス基板２の元となるガラス板２１に例えばタンタル膜２２を形成する。次いで、同図（ｂ）に示すように、タンタル膜２２上にレジスト２３を塗布する。次に、フォトマスク２４を介して同図（ｃ）の矢印に示す方向から光を照射することにより、レジスト２３をポジ型に感光させる。この後、ガラス基板２を現像することにより、同図（ｄ）に示すように、フォトマスク２４によって遮光された部分のレジスト２５，２５が取り残される。次いで、エッチングを行うことにより、同図（ｅ）に示すように、取り残されたレジスト２５，２５の部分に対応するタンタル膜２２を残して不要部分のタンタル膜２２を除去する。次に、レジスト２５，２５を剥離することにより、ＭＩＭパターン２６と、マーク３やマーク４に対応するパターン２７とが形成されたガラス基板２が完成する。この場合、パターン２７の材質がガラス基板２を形成するための材料であるため、なんら工程を増やすことがない。したがって、液晶表示装置１の製造コストを上げることなく、マーク３，４を形成することができる。
【００３２】
次に、ガラス基板２，３１を用いての液晶表示装置１の製造工程について、図６を参照して説明する。まず、同図（ａ）に示すように、ＭＩＭパターン２６やマーク３，４が形成されたガラス基板２、およびカラーフィルタが形成されたガラス基板３１に配向膜３２を形成するためのコーティング処理を行う。次いで、同図（ｂ）に示すように、ローラ３３を用いて配向膜３２を擦ることによりラビング処理を行う。次に、同図（ｃ）に示すように、図外のスキージーおよびマスクなどを用いてシール剤５を塗布する。シール剤５の塗布工程が終了すると、シール剤５のシール幅とマーク３のマーク幅とが一致するかを透視により確認する。この際に、シール幅が太すぎたり細すぎたりした場合には、シール剤５を剥離した後にシール剤５の塗布工程を再度行う。
【００３３】
次に、同図（ｄ）に示すように、プラスチックボールやガラスボールなどで形成されたスペーサ３４を散布する。次いで、同図（ｅ）に示すように、ガラス基板２とガラス基板３１とを重ね合わせた後、同図（ｆ）に示すように、ガラス基板３１の上方から加圧することにより、両ガラス基板２，３１を接着する。この後、シール剤５がマーク４，４の互いに対向する側の長辺をそれぞれ延長した線分間に塗布されているかを透視により確認する。この時点でシール剤５が適正量で塗布されていない場合には、後の工程を行うことなく、ガラス基板２，３１を再利用または廃棄する。これにより、後の工程に要する製造コストを削減することができる。
【００３４】
次に、同図（ｇ）に示すように、液晶充填口６を介して液晶３５を充填した後、同図（ｈ）に示すように、封止剤３６によって液晶充填口６を封止する。次いで、同図（ｉ）に示すように、加熱することにより、液晶３６の向きを均一化するための等方性処理を行う。この後、同図（ｊ）に示すように、所定の大きさに切断することにより、液晶表示装置１が完成する。
【００３５】
このように、この実施形態に係る液晶表示装置１によれば、シール剤５を塗布した後のシール幅をマーク３を用いて確認し、両ガラス基板２，３１の接着後におけるシール剤５のシール幅をマーク４，４を用いて確認することにより、シール剤５が適正量で塗布されたか否かを容易に確認することができる。これにより、液晶表示装置１の完成を待つまでもなく、シール剤５が適正量で塗布されていないと確認できた時点で中間品の液晶表示装置１を再利用または廃棄することにより、その後の工程に要する製造コストを削減することができる。また、これにより、液晶表示装置１の製造工程における歩留まりを実質的に向上させることができる。
【００３６】
なお、本発明は上記した実施形態に限定されない。例えば、マーク３，４は上記した実施形態以外にも、シール剤５のシール幅を矢印で示してもよく、種々の形状で形成することができる。また、マーク３，４の形成位置についても、ガラス基板２の四隅以外の部位に形成することもできる。さらに、マーク３，４を５カ所以上にそれぞれ形成することもできる。かかる場合には、シール剤５のシール幅をより精度よく確認することができる。また、マーク３，４の材質も本実施形態に示した材質に限定されず、種々の材質を用いることができる。ただし、他の工程内においてマーク３，４の塗布工程を同時に行うことができるのが好ましく、このためには、ガラス基板２，３１に用いられている材料によって形成する必要がある。
【００３７】
【発明の効果】
以上のように、本発明に係る液晶表示装置の製造方法および液晶表示装置によれば、塗布後シール幅確認マークを用いることにより、塗布されたシール剤の塗布量を容易に確認することができる。これにより、液晶表示装置の歩留まりを向上させることができると共に、その確認結果をシール剤塗布工程にフィードバックすることによってスキージーの圧力などを適切に管理することができる。
【００３８】
また、接着後シール幅確認マークを用いることにより、１対のガラス基板を接着した後のシール幅を容易に確認することができる。これにより、例えば、その確認結果をシール剤の粘度管理にフィードバックすることによってシール剤の粘度を一定に維持することができる。
【図面の簡単な説明】
【図１】  本発明の実施の形態に係る液晶表示装置におけるガラス基板の外観図である。
【図２】  本発明の実施の形態に係る液晶表示装置におけるガラス基板の一部を拡大した拡大図である。
【図３】  他の実施の形態に係るガラス基板の一部拡大図である。
【図４】  （ａ），（ｂ）は、それぞれ他の実施の形態に係るガラス基板の一部拡大図である。
【図５】  ガラス基板の製造工程を示す工程図である。
【図６】  液晶表示装置の製造工程を示す工程図である。
【符号の説明】
１  液晶表示装置
２  ガラス基板
３，４，７，８，９，１０  マーク
５  シール剤
３１  ガラス基板
【図１】
0003649225.tif 000002
【図２】
0003649225.tif 000003
【図３】
0003649225.tif 000004
【図４】
0003649225.tif 000005
【図５】
0003649225.tif 000006
【図６】
0003649225.tif 000007